(57)【要約】【課題】ねじロック機能が低下した場合に竜頭回りの部品交換を可能とした携帯時計を提供することにある。【解決手段】竜頭３１をねじロックする胴１３に、巻真パイプ本体２２と外装パイプ２６とを具備する巻真パイプ２１を固定する。巻真パイプ本体２２は、胴１３の外側に配置される胴外側端部２４を有していて、胴１３のパイプ取付け孔１７に挿入してろう付けにより胴１３に水密的に固定される。外装パイプ２６の外周面に、竜頭３１の雌ねじ部３５が取外し可能に螺合される雄ねじ部２８を設ける。胴外側端部２４の外周に、外装パイプ２６を回り止めして取外し可能に嵌合する。これにより、ねじロック機能が低下した場合に、胴１３を含む時計外装組立１２の交換を伴うことなく、竜頭３１及びこれをねじロックする巻真パイプ２１の外装パイプ２６を単独に交換可能としたことを特徴としている。【選択図】    図２
2004271363.tif 000002
【特許請求の範囲】
【請求項１】
巻真パイプを胴のパイプ取付け孔に水密的に固定し、前記巻真パイプに設けられた雄ねじ部に竜頭に設けられた雌ねじ部を取外し可能に螺合して前記竜頭がねじロックされる携帯時計であって、
前記巻真パイプが、
前記胴の外側に配置される胴外側端部を有し、前記パイプ取付け孔に挿入され前記胴に水密的に固定された巻真パイプ本体と、
前記雄ねじ部が外周面に設けられていて、前記胴外側端部の外周に回り止めして取外し可能に嵌合された外装パイプと、
を具備している携帯時計。
【請求項２】
前記巻真パイプ本体と外装パイプとが異種材料で作られている、請求項１に記載の携帯時計。
【請求項３】
前記外装パイプが前記巻真パイプ本体より耐摩耗性に優れた材料で作られている、請求項１又は２に記載の携帯時計。
【発明の詳細な説明】
【０００１】
【発明の属する技術分野】
本発明は、竜頭が不用意に回転されないように保持する構造を備えた携帯時計に関する。
【０００２】
【従来の技術】
ダイバーズウォッチ等の携帯時計では、その携帯時に竜頭が不用意に回転されないように、ねじの噛合いを利用して竜頭をロックする構造（この構造を本明細書ではねじロックと称する。）が採用されている。
【０００３】
ねじロック構造は、時計ムーブメントが内蔵された胴に巻真パイプを取付け、このパイプの胴外側端部の外周に形成された雄ねじ部に、胴外側端部に被嵌する竜頭主部の雌ねじ部を螺合する構造である。これにより、通常時には、竜頭主部を胴外側端部の外周にねじ込んで竜頭をロックできる。又、時計ムーブメントを操作する時には、雄ねじ部に対する竜頭主部のねじ込みを外してから、竜頭を引き動かして巻真パイプの内側に配置されている巻真を回転操作することができる。
【０００４】
このようなねじロック構造を備えた従来の携帯時計では、一般に、胴に対して巻真パイプをろう付けすることにより、巻真パイプ取付け部の防水を図っている（例えば特許文献１参照）。
【０００５】
この他に、竜頭が螺合される雄ねじ部とは別の雄ねじ部を巻真パイプの軸方向中間部に設けて、この別の雄ねじ部を胴のパイプ取付け孔にねじ込むとともに、このねじ込みに伴い胴と巻真パイプとの間に防水パッキンを挟み込んで、巻真パイプ取付け部の防水を図った携帯時計も知られている。
【０００６】
【特許文献１】
特開昭５７−４６１８１号公報（第１頁右欄第８行〜第２頁左欄第７行、第１図、第２図）
【０００７】
【発明が解決しようとする課題】
ねじロック構造を備える携帯時計では、竜頭が繰返し回転操作されること等により、互いに螺合する竜頭の雌ねじ部と巻真パイプの雄ねじ部とが摩耗したり、削れたりして、ねじロックの機能が低下することがある。
【０００８】
このような事態に至った場合、胴に巻真パイプがろう付けされている特許文献１の携帯時計では、巻真パイプの胴からの取外しを伴う竜頭回りの部品交換ができない。それにより、胴を含めた時計外装組立の交換を余儀なくされており、その改善が求められている。
【０００９】
胴に巻真パイプをねじ込んだ時計では、原理的には巻真パイプを含めた竜頭周りの部品交換が可能であると考えられている。しかし、この構成でも、竜頭を巻真パイプに螺合させたり、この螺合を外したりするたびに、巻真パイプには回転力が作用する。それに伴って胴に対する巻真パイプのねじ込みが緩んで、防水パッキンによる防水性が低下するおそれがある。
【００１０】
この対策として、巻真パイプと胴との螺合部に接着剤を充填することが行われることがある。このように接着止めされる場合には、巻真パイプを胴から取外すことが困難となり、実際上は竜頭回りの部品交換ができなくなる。それにより、ねじロック機能が低下した場合に、胴を含めた時計外装組立の交換を余儀なくされており、その改善が求められている。
【００１１】
本発明が解決しようとする課題は、ねじロック機能が低下した場合に竜頭周りの部品交換を可能とした携帯時計を提供することにある。
【００１２】
【課題を解決するための手段】
前記課題を解決するために、本発明は、胴に固定されて竜頭をねじロックする巻真パイプが、胴のパイプ取付け孔に挿入されて胴に水密的に固定された巻真パイプ本体と、竜頭の雌ねじ部が取外し可能に螺合される雄ねじ部を外周面に設けた外装パイプとを具備し、胴の外側に配置される巻真パイプ本体の胴外側端部の外周に、外装パイプを回り止めして取外し可能に嵌合したことを特徴としている。
【００１３】
本発明では、巻真パイプ本体は胴に対して分離できないように固定されているが、竜頭の雌ねじ部と螺合して竜頭をねじロックする外装パイプは、巻真パイプ本体の胴外側端部に対して取外し可能である。このため、ねじロック機能を発揮させたり解除したりする竜頭操作に伴ってねじロック機能が低下した場合には、巻真パイプ本体を胴に固定されたままにして、竜頭及び外装パイプを単独に交換可能である。
【００１４】
本発明の好ましい形態では、前記巻真パイプ本体と外装パイプとが異種材料で作られているので、巻真パイプ本体と外装パイプとの材料を夫々の機能等に応じた適正材料とできるなど、設計の自由度を向上することが可能となる点で優れている。
【００１５】
本発明の好ましい形態では、前記外装パイプが前記巻真パイプ本体より耐摩耗性に優れた材料で作られているので、巻真パイプ本体の材料に制約されずに、ねじロック構造の耐久性を向上することが可能となる点で優れている。
【００１６】
【発明の実施の形態】
以下、図１〜図５を参照して本発明の一実施形態を説明する。
【００１７】
図１中符号１１は竜頭のねじロック機能を備える携帯時計としてのダイバーズウォッチを示しており、このウォッチ１１は時計外装組立１２内に図示しない時計ムーブメント等を収容している。時計ムーブメントは、小型電池やぜんまいを動力にしたもの、又は自動巻きのもの、若しくはクォーツ発振モジュールにより文字板上で時刻等をデジタル表示するデジタル時計対応のもの、或いはデジタル時計対応のものとそれ以外のものとを併用したもの等のいずれであってもよい。
【００１８】
時計外装組立１２は、環状をなす金属製の胴１３の厚み方向一面に、カバーガラス１４を液密に装着するとともに、胴１３の厚み方向裏面に、金属等からなる裏蓋１５（図２参照）を液密に装着して形成されている。カバーガラス１４を通して文字板１６などを透視可能であり、裏蓋１５は取外し可能である。
【００１９】
図２に示すように胴１３の一部には、この胴１３を径方向に貫通するパイプ取付け孔１７が開けられている。パイプ取付け孔１７の一端は、胴内側、つまり時計外装組立１２の内部に開口され、パイプ取付け孔１７の他端は、胴外側、つまり時計外装組立１２の外部に開口されている。胴１３の外側面１３ａには収容溝１８が形成されている。この収容溝１８は、パイプ取付け孔１７より大径で、この孔１７の胴外側開口に連通し、かつ、この開口と同心的に設けられている。
【００２０】
胴１３にはパイプ取付け孔１７を貫通して巻真パイプ２１が胴外側から水密的に固定されている。
【００２１】
詳しくは、図２、図４、図５に示すように巻真パイプ２１は、巻真パイプ本体２２と、外装パイプ２６とを備えている。
【００２２】
巻真パイプ本体２２は、金属製であり、例えばステンレス鋼を好適に使用できる。この巻真パイプ本体２２は、一端側の挿入部２３と、他端側の胴外側端部２４とを有している。挿入部２３はパイプ取付け孔１７に胴外側から圧入気味に挿入される部分であり、その先端部外周に先細となるテーパ面２３ａが作られている。胴外側端部２４は、胴１３の外側に配置される部分であって、角形例えば六角形に作られている。この胴外側端部２４の径は挿入部２３の外径及び収容溝１８の直径よりも大きい。胴外側端部２４の胴外側端部２４の胴外面１３ａに接する側とは反対側の端部には、ストッパ取付け部、例えば図５に示されるように環状溝２４ｂが形成されている。
【００２３】
巻真パイプ本体２２は、胴外側端部２４が胴外面１３ａに当たるまでパイプ取付け孔１７に挿入されているとともに、収容溝１８に充填された金属製ろう材２５によって胴１３に対して分離できないように固定されている。この固定を担うろう材２５は、胴１３と巻真パイプ本体２２との間の防水を担う部材としても機能している。
【００２４】
なお、挿入部２３は、本実施形態ではパイプ取付け孔１７を貫通する長さであるが、取付け孔１７を貫通しない長さとしてもよい。更に、挿入部２３は、その先端側部分よりも胴外側端部寄りの根元側分を大径とし、これに対応して前記根元部分が挿入されるように収容溝１８を深く形成し、前記先端側部分と根元部分とがなす段部とこれに対応する収容溝１８の奥部との間にろう材２５を充填して、パイプ取付け孔１７に巻真パイプ本体２２を水密的に固定してもよい。又、前記ろう付けに代えて、前記水密的固定を、胴１３と巻真パイプ本体２２との間にゴム製防水パッキンを挟んでパイプ取付け孔１７に挿入部２３をねじ込むとともに、パイプ取付け孔１７と挿入部２３とを接着剤により接着して行ってもよい。
【００２５】
図５に示すように外装パイプ２６の内周面２６ａは、胴外側端部２４の外周面２４ａの形状に対応する角孔である六角としてある。この外装パイプ２６は胴外側端部２４に取外し可能に嵌合されている。外装パイプ２６の内周面２６ａと胴外側端部２４の外周面２４ａとは互いに接している。これにより、外装パイプ２６は胴外側端部２４に対して周方向に回り止めされている。
【００２６】
したがって、多角形をなす胴外側端部２４の外周面２４ａ及び外装パイプ２６の内周面２６ａとは、外装パイプ２６の回り止め手段をなしている。なお、これに制約されず回り止め手段は、例えばパイプの軸方向に延びる１以上のキーとこれに摺動可能に嵌合するキー溝とにより構成することも、或いはセレーションを用いた嵌合等により構成することも可能である。
【００２７】
胴外側端部２４の環状溝２４ｂには図２〜図４に示す例えばＥ形の止め輪２７が取付けられている。本実施形態では環状溝２４ｂは、外装パイプ２６が胴外側端部２４に嵌合された時に外装パイプ２６の端面より外側に突出しており、外装パイプ２６の端面が止め輪２７により押えられる位置に形成されている。止め輪２７は図示しない工具により弾性変形を伴って環状溝２４ｂに着脱可能である。この止め輪２７の外径は、後述の竜頭の雌ねじ部３５との干渉を避けるために、後述の雄ねじ部２８の谷径より小さい。止め輪２７は、外装パイプ２６の端面を押えて、胴外側端部２４に対する外装パイプ２６の軸方向の外れ止めをなすストッパ手段として使用されている。なお、これに制約されずストッパ手段としては、例えば外装パイプ２６が嵌合される胴外側端部２４の領域から外れた部分に設けられたねじ部に、取外し可能に螺合されて外装パイプ２６の端面を押える板状などのナットを用いることも可能である。
【００２８】
以上のように胴外側端部２４の外周に回り止めして取外し可能に嵌合された外装パイプ２６の外周面には、ねじロックのための雄ねじ部２８が設けられている。
【００２９】
外装パイプ２６は、巻真パイプ本体２２と同種又は異種の材料で作られている。巻真パイプ本体２２と同種材料（例えばステンレス鋼）で外装パイプ２６が作られている場合には、異種金属同士が接する場合のように電腐が生じる恐れがない点で優れている。外装パイプ２６を巻真パイプ本体２２に対して異種材料とする場合には、巻真パイプ本体２２と外装パイプ２６との材料を夫々の機能等に応じた適正材料とできるなど、設計の自由度の向上を図り得る点で優れている。しかも、異種材料とする場合には、外装パイプ２６を巻真パイプ本体２２より耐摩耗性に優れた材料で作って、巻真パイプ本体２２の材料に制約されずに、したがって、巻真パイプ２１全体を耐摩耗性に優れた材料で作ることなく、低コストで、ねじロック構造の耐久性を向上することが可能となる点でも優れている。
【００３０】
前記構成の巻真パイプ２１は、図４に示すように巻真パイプ本体２２の胴外側端部２４に予め外装パイプ２６及び止め輪２７を取付けた状態で、既述のように巻真パイプ本体２２の挿入部２３を、胴１３のパイプ取付け孔１７に挿入し、ろう付けすることによって、胴１３に取付けられる。或いは、巻真パイプ本体２２単体を胴１３のパイプ取付け孔１７に挿入し、ろう付けした後、胴１３の外側に配置された胴外側端部２４に外装パイプ２６を嵌合するとともに、環状溝２４ｂに止め輪２７を取付けることによって、胴１３に取付けることができる。
【００３１】
図１中符号３１で示す竜頭は、金属製であって、図２に示すように竜頭主部３２と、この中央部から軸方向に一体に延びる竜頭筒部３３とを有している。竜頭主部３２には、竜頭筒部３３の根元側部分を囲む環状の逃げ溝３４が設けられているとともに、この溝３４の内周面にねじロックのための雌ねじ部３５が形成されている。逃げ溝３４は、巻真パイプ２１の胴外側端部２４及び外装パイプ２６が挿入される部分である。雌ねじ部３５は、外装パイプ２６の雄ねじ部２８に取外し可能に螺合される。この螺合により、このウォッチ１１の携帯時に竜頭３１が不用意に回転されないようにねじロックする機能が発揮される。
【００３２】
竜頭筒部３３は胴外側から巻真パイプ２１に挿入されている。この筒部３３の外周に形成された環状のパッキン取付け溝には、ゴム製の環状防水パッキン３６が取付けられている。防水パッキン３６は、巻真パイプ２１の内周面と竜頭筒部３３の外周面との間に圧縮状態に弾性変形して挟まれ、これらの間の防水を担っている。竜頭筒部３３内には胴内側から時計ムーブメントの巻真３７が挿入されているとともに、この巻真３７をばね受け３８を介して軸方向に付勢するコイルばね３９が収容されている。時計ムーブメントは、雄ねじ部２８に対する雌ねじ部３５のかみ合いを外した状態、言い換えれば、ねじロックが解除された状態で、竜頭３１の回転操作に連動して回転される。これにより、時刻合わせ等が行われるようになっている。
【００３３】
なお、竜頭３１は、その竜頭筒部３３を、これに巻真３７が接続された状態で胴外側から巻真パイプ２１内に挿入するとともに、竜頭主部３２の雌ねじ部３５を外装パイプ２６の雄ねじ部２８に螺合して締付けることで、取付けられる。竜頭３１が雄ねじ部２８に最も深くねじ込まれた状態で、竜頭主部３２は、図２に示されるように胴１３の外側面１３ａに当接して位置決めされ、外装パイプ２６を覆い隠す。なお、以上の手順の後に、巻真３７と時計ムーブメントとの接続がなされる。
【００３４】
この組立て完了状態では以下のように高圧防水機能を発揮しかつ維持できる。すなわち、巻真パイプ２１と胴１３との間の防水は、これらを固定したろう材２５により確保でき、巻真パイプ２１とこの内側に挿入された竜頭筒部３３との間の防水は、これらの間に圧縮状態に弾性変形して挟まれた防水パッキン３６により確保できる。
【００３５】
図２に示すダイバーズウォッチ１１の組立状態では、竜頭３１が巻真パイプ１の雄ねじ部２８にかみ合ってねじロックされているので、携帯中に不用意に竜頭３１が回されて、時刻表示などが変化することを防止できる。時刻合わせ等を行う場合には、竜頭３１を逆回転させて雄ねじ部２８に対する竜頭主部３２の噛み合いを外して、竜頭３１をコイルばね３９のばね力に抗して引出した状態で行うことができる。
【００３６】
竜頭３１の操作に伴い、雄ねじ部２８及びこれに螺合した雌ねじ部３５の損傷や摩耗等により竜頭３１のねじロック機能が低下した場合には、以下のように対処できる。
【００３７】
すなわち、止め輪２７は巻真パイプ本体２２の胴外側端部２４の環状溝２４ｂから取外し可能であり、この取外しにより胴外側端部２４に被嵌されている外装パイプ２６は、胴１３にろう付けされている巻真パイプ本体２２の軸方向に沿って引出して胴外側端部２４から取外し可能である。このため、ねじロック機能の低下に対して、巻真パイプ２１の雄ねじ部２８を有した外装パイプ２６及びこれに着脱可能な竜頭３１を単独に交換可能である。
【００３８】
これにより、修理の依頼者にとっては、ねじロック機能の低下に対して、胴１３等を含めた時計外装組立１２の交換を余儀なくされることなく、部品交換で対応することが可能となるので、費用負担を少なくできる。
【００３９】
既述のように巻真パイプ本体２２を胴１３に固定したまま、巻真パイプ２１の外装パイプ２６を交換できる。この場合、交換部品としてのパイプの内周面の形状が共通で、雄ねじ部２８の径、ピッチ、及びねじ山の数などが異なる複数種の交換用外装パイプを用意するとともに、これらの雄ねじ部２８に個別に対応する雌ねじ部を有した竜頭３１を複数種用意して置くとよい。この場合には、使用により損傷して廃棄される外装パイプ２６及び竜頭３１と同じものに交換することに制約されずに、前記複数種の中から任意に選択された同種の新たな外装パイプ２６及び竜頭３１と交換することが可能である。これにより、交換部品を長期にわたり保管して置く必要がなくなるので、製造者側にとっての部品管理が容易となる。
【００４０】
本発明は前記一実施形態には制約されるものではなく、例えば高圧防水性能を要求されない通常の腕時計や懐中時計などの携帯時計にも適用可能である。
【００４１】
【発明の効果】
本発明では、胴に対して分離できないように水密的に固定されている巻真パイプ本体の胴外側端部に対して、竜頭の雌ねじ部が螺合して竜頭をねじロックする外装パイプを、回り止めして取外し可能としている。このため、本発明によれば竜頭操作に伴ってねじロック機能が低下した場合に、胴に固定された巻真パイプ本体をそのままにして、竜頭回りの部品交換、つまり、竜頭及びこれをねじロックする外装パイプを単独に交換可能することが可能な携帯時計を提供できる。
【００４２】
巻真パイプ本体と外装パイプとが異種材料で作られている発明によれば、巻真パイプ本体と外装パイプとの材料を夫々の機能等に応じた適正材料とできるなど、設計の自由度を向上することが可能な携帯時計を提供できる。
【００４３】
外装パイプが巻真パイプ本体より耐摩耗性に優れた材料で作られている発明によれば、巻真パイプ本体の材料に制約されずに、ねじロック構造の耐久性を向上することが可能な携帯時計を提供できる。
【図面の簡単な説明】
【図１】本発明の一実施形態に係るダイバーズウォッチを示す正面図。
【図２】竜頭がねじロックされた状態で図１中Ｆ２−Ｆ２線に沿って示す断面図。
【図３】図１のダイバーズウォッチの竜頭を取除いた状態で巻真パイプ取付け部を示す正面図。
【図４】図１のダイバーズウォッチの巻真パイプを示す斜視図。
【図５】図４の巻真パイプを分解して示す斜視図。
【符号の説明】
１１・・・ダイバーズウォッチ（携帯時計）
１２・・・時計外装組立
１３・・・胴
１７・・・パイプ取付け孔
２１・・・巻真パイプ
２２・・・巻真パイプ本体
２３・・・巻真パイプ本体の挿入部
２４・・・巻真パイプ本体の胴外側端部
２４ａ・・・胴外側端部の外周面（回り止め手段）
２５・・・ろう材
２６・・・巻真パイプの外装パイプ
２６ａ・・・外装パイプの内周面（回り止め手段）
２７・・・止め輪（回り止め手段）
２８・・・胴外側端部の雄ねじ部
３１・・・竜頭
３５・・・竜頭の雌ねじ部
【図１】
2004271363.tif 000003
【図２】
2004271363.tif 000004
【図３】
2004271363.tif 000005
【図４】
2004271363.tif 000006
【図５】
2004271363.tif 000007